(57)【要約】本発明は、移動体電気通信網（３６）のための、特にＧＳＭ規格またはＵＭＴＳ規格に従う移動局（１０）に関し、移動体電気通信網（３６）は中央コンピュータ装置（４０）を有する。移動局（１０）は、受信部および送信部、視覚的および／または聴覚的メニューナビゲーションを有する表示部（１４）、移動局（１０）を操作するメニュー項目を選択するための制御部（２８）、ならびに、表示部に視覚的および／または聴覚的要素（２７）を表示するための手段を含み、各視覚的および／または聴覚的要素は関連付けられたメニュー項目を示す。視覚的要素（２６）は、移動体電気通信網（３６）のコンピュータ装置（４０）で中央集中的に管理される。本発明の移動局（１０）は、視覚的および／または聴覚的要素（２６）を通じてこれらのメニュー項目を中央コンピュータ装置（４０）から検索するための手段を含む。さらに、本発明は、本発明の移動局（１０）のような移動局のための方法に関する。
2006505156.tif 000002
【特許請求の範囲】
【請求項１】
移動体電気通信網（３６）のための、特にＧＳＭ規格またはＵＭＴＳ規格に従う移動局（１０）であって、移動体電気通信網（３６）は中央コンピュータ装置（４０）を有し、移動局（１０）は、
（ａ）受信部および送信部と、
（ｂ）メニュー項目を伴う階層的メニューナビゲーションを有する表示部（１４）と、
（ｃ）移動局（１０）を操作するメニュー項目を選択するための制御部（２８）と、
（ｄ）表示部（１４）にメニュー項目を表示するための手段とを含み、さらに、
（ｅ）メニュー項目のための視覚的および／または聴覚的要素（２６）を移動体電気通信網（３６）のコンピュータ装置（４０）から集中的に検索し、表示するための手段によって特徴付けられる、移動局（１０）。
【請求項２】
各メニュー項目は、視覚的および／または聴覚的要素（２６）によって表わされることを特徴とする、請求項１に記載の移動局（１０）。
【請求項３】
表示部（１４）上の視覚的および／または聴覚的要素（２６）をテキスト（３０）によって説明するために手段が設けられることを特徴とする、請求項１または２に記載の移動局（１０）。
【請求項４】
視覚的および／または聴覚的要素（２６）をテキスト（３０）によって説明するための手段は、対応するメニュー項目が選択されたときのみ応答することを特徴とする、請求項３に記載の移動局（１０）。
【請求項５】
表示部（１４）は、接触を感知する制御部（３２）として設計され、メニュー項目の視覚的要素（２６）が触れられると、その都度メニュー項目が選択されることを特徴とする、請求項１から４のいずれか１項に記載の移動局（１０）。
【請求項６】
ナビゲーション要素（２８，３４）は制御部として設けられることを特徴とする、請求項１から５のいずれか１項に記載の移動局（１０）。
【請求項７】
ナビゲーション要素は、制御ピン（２８）またはタッチパッド（３４）として設けられることを特徴とする、請求項６に記載の移動局（１０）。
【請求項８】
視覚的要素（２６）はカラーで与えられることを特徴とする、請求項１から８のいずれか１項に記載の移動局（１０）。
【請求項９】
メニュー項目の視覚的要素（２６）は予め固定的に定められることを特徴とする、請求項１から９のいずれか１項に記載の移動局（１０）。
【請求項１０】
視覚的要素（２６）は調整可能であることを特徴とする、請求項１から９のいずれか１項に記載の移動局（１０）。
【請求項１１】
少なくとも２つの視覚的要素（２６）を表示するための手段が設けられることを特徴とする、請求項１から１０のいずれか１項に記載の移動局（１０）。
【請求項１２】
視覚的要素（２６）がバッファされるキャッシュが設けられることを特徴とする、前掲の請求項のいずれか１項に記載の移動局（１０）。
【請求項１３】
請求項１から１２のいずれか１項に記載の移動局（１０）のための方法であって、メニ
ュー項目の視覚的および／または聴覚的要素のためのデータは移動体電気通信網（３６）の中央コンピュータ装置（４０）に格納され、これらのデータは、それぞれのメニュー項目が検索されると中央コンピュータ装置によって移動局（１０）へ送信されて移動局の表示部（１４）に表示されることを特徴とする、方法。
【請求項１４】
メニュー項目の視覚的および／または聴覚的要素（２６）の、テキストによる説明が、移動体電気通信網（３６）の中央コンピュータ装置（４０）に格納され、それぞれのデータが移動局（１０）によって中央コンピュータ装置（４０）から移動局（１０）へ送信されて移動局（１０）の表示部（１４）に表示されることを特徴とする、請求項１３に記載の方法。
【請求項１５】
少なくとも２つのメニュー項目は、移動局（１０）の表示部（１４）上に視覚的要素（２６）として表示されることを特徴とする、請求項１３または１４に記載の方法。
【請求項１６】
メニューの視覚的要素（２６）は移動局（１０）のキャッシュにバッファされることを特徴とする、請求項１３から１５のいずれか１項に記載の方法。
【発明の詳細な説明】
【技術分野】
【０００１】
本発明は、移動体電気通信網のための、特にＧＳＭ規格またはＵＭＴＳ規格に従う移動局に関し、移動体電気通信網は中央コンピュータ装置を有し、移動局は、
（ａ）受信部および送信部と、
（ｂ）メニュー項目を伴う階層的メニューナビゲーションを有する表示部と、
（ｃ）移動局を操作するメニュー項目を選択するための制御部と、
（ｄ）表示部にメニュー項目を表示するための手段と、
を含む。
【０００２】
さらに、本発明はこのような移動局のための方法に関する。
【背景技術】
【０００３】
先行技術
移動局は周知である。移動局は、移動体電気通信網において、同じく自分の自由に使える移動局を有する他の相手と通信するために用いられる。この目的のために、移動局の各々は適切な受信部および送信部を有する。現在では移動局は、ＧＳＭ規格またはＵＭＴＳ規格のいずれかに従って動作する。これらの規格については、数多くの刊行物、たとえばトイプナー  シュトゥットガルト−ライプツィヒ出版、エーバースペッヒャー／フェーゲル著、「移動体通信のためのＧＳＭグローバルシステム」第２版などに記載されている。
【発明の開示】
【発明が解決しようとする課題】
【０００４】
移動局はその操作および用途分野に関して、益々使い心地がよくなる。その操作は、しばしば、表示部に表示されるメニューを通じて実行される。メニューの制御は、適切な押しボタンもしくはマイクロスイッチを通じて、または移動局の数字キーボードを通じて実行される。この目的のために、メニューは原則として階層的に構成され、ときにはテキストをサポートするための個別の視覚的要素を伴ったテキスト要素として図示される。ノキア（Nokia）社によって製造されたさらに最近の移動局においては、個別のメニュー項目はこのような視覚的要素とともに用いられている。これはたとえば、ノキア社の３２１０番のタイプの場合などである。しかしながら、そこでは一時に１つのメニュー項目のみしか表示されない。同じ階層レベルにある複数のメニュー項目を同時に表示することはできない。
【０００５】
個別の視覚的要素を伴う、テキストで制御されるこれらのメニューの欠点は、移動局の視覚的要素は、視覚的要素が移動局によって、または製造業者によって、それぞれ異なり得ることである。それにより、視覚的要素はその意味を失う。なぜなら、認知度が低いために、視覚的要素の裏にいかなる機能またはメニュー項目が隠れているか誰も直感的に想起し得ないからである。したがって、移動局は、常に、テキストで制御される追加的なメニューを必要とする。
【０００６】
モトローラ（Motorola）社によって製造された移動局、たとえばティンポート（Timport）タイプでは、複数の視覚的要素が表示部に表示され、各視覚的要素に１つのメニュー項目が関連付けられる。この視覚的なメニュー表示は、しかしながら、階層の上位の第１レベルで与えられる。移動局のサイズが原因で、視覚的要素のためのメモリ容量は極めて限られざるを得ない。さらに、これらの視覚的要素について、型式によってメニューが異なり得る。
【０００７】
発明の開示
本発明の目的は、先行技術の欠点を回避すること、および、統一的な、可能であれば完全な、絵柄で制御されるメニューナビゲーションを有する移動局、およびそのような移動局のための方法をそれぞれ提供することである。
【課題を解決するための手段】
【０００８】
本発明によれば、この目的は、最初に述べたタイプの、移動体電気通信網のための、特にＧＳＭ規格またはＵＭＴＳ規格に従う移動局によって達成され、移動体電気通信網は中央コンピュータ装置を有し、
（ｅ）移動体電気通信網のコンピュータ装置からメニュー項目のための視覚的および／または聴覚的要素を中央集中的に検索し、表示するための手段が設けられる。
【０００９】
さらに、その目的は、最初に述べたタイプの移動局のための方法であって、メニュー項目の視覚的および／または聴覚的要素のためのデータが移動体電気通信網の中央コンピュータ装置に格納され、これらのデータが、それぞれのメニュー項目が検索されると、移動局によって中央コンピュータ装置から移動局に送信されて移動局の表示部（１４）に表示される、方法によって達成される。
【００１０】
本発明は、すべての移動局を操作するための統一的なメニューナビゲーションを提案するという本質に基づいており、そのメニューナビゲーションは直感的に操作され得る。この直感は視覚的および／または聴覚的要素によって得られ、その統一性と移動体電気通信網の中央コンピュータによる集中管理とによって確保される。それにより、すべてのメニュー項目は、中央集中的に、かつ、統一的に、視覚的および／または聴覚的要素と関連付けられ得る。
【００１１】
本発明は、階層的に構成されたメニューナビゲーションを有する。この方策により、移動局のユーザはすべての機能を同時に扱う必要はない。ユーザは１つのレベルから次のレベルへと直感的に向かうことができる。
【００１２】
この目的のために、好ましくは、表示部上の視覚的および／または聴覚的要素をテキストによって説明するための手段が設けられる。これは特に、メニューナビゲーションをまれにしか操作しないユーザ、または初心者の助けとなる。このようにして、視覚的要素と関連付けられた機能は容易に学習され得る。テキストは移動局の操作についての付加的な助けを示す。
【００１３】
本発明のさらなる有利な変形において、視覚的および／または聴覚的要素をテキストによって説明するための手段は、対応するメニュー項目が選択されたときのみ応答する。この方策は、各メニュー項目のテキストが連続的に表示されることを回避する。
【００１４】
表示部が接触を感知する制御部として設計されると、本発明の移動局の好ましい実施例となり、メニュー項目の視覚的要素が触れられると、その都度そのメニュー項目が選択される。このような接触感知式の表示部は「タッチスクリーン」と呼ばれる。このような制御部によって、従来のキーボードが全く不要となることすらあり得る。キーもまた、接触感知式の表示部に視覚的要素として表示され得る。
【００１５】
ナビゲーション要素が制御部として与えられると、有利な代替が得られる。現在のところ、接触感知式の表示部を有する移動局のコストがかなり高いかもしれないので、コストを理由に、個別のメニュー項目を操作するための他のナビゲーション機器が近い将来においては好まれるであろう。好ましくは、ナビゲーション要素は制御ピンまたはタッチパッドとして設計され得る。
【００１６】
視覚的要素をユーザにとってさらに区別しやすく表示するために、視覚的要素はカラーで与えられる。
【００１７】
メニュー項目の視覚的要素が予め固定的に定められていることは、その統一性に有利な局面となる。視覚的要素はさらなる変更ができないので同じ形式で各ユーザに示される。
【００１８】
しかしながら、しばしば、いずれか１つの視覚的要素を個別的にユーザに対応させなければならないことも起こり得る。したがって、予め固定的に定められた視覚的要素の他に、さらにいくつかの視覚的要素が個別的に設定できると、本発明の有利かつ柔軟性のある変形となる。
【００１９】
表示部に少なくとも２つのメニュー項目、または対応する視覚的要素を常に表示しておく手段が設けられると、メニュー全体が向上され得る。しかしながら、この点においては、視覚的要素のために必要となる表示部のサイズおよび解像度が考慮されるべきである。
【００２０】
中央コンピュータと恒常的な通信を維持しなければならない状態を避けるために、視覚的要素がバッファされるキャッシュを設けると、本発明の有利な変形となる。これにより、バッファで入手できない視覚的要素のみが再読込みされればよいこととなる。バッファはダイナミックメモリまたはスタティックメモリであり得る。
【００２１】
メニュー項目の視覚的および／または聴覚的要素の、テキストによる説明が、移動体電気通信網の中央コンピュータ装置に格納され、それぞれのデータが、移動局によって中央コンピュータ装置から移動局へ送信されて移動局の表示部に表示されると、本発明の方法の有利な実施例が得られる。このようにして、移動局の記憶領域は、中央コンピュータへのデータ転送のために負荷を受けすぎることがなくなる。
【００２２】
移動局の表示部上の視覚的要素として少なくとも２つのメニュー項目が用いられることによって、移動局のユーザにとっての明確さが向上する。
【００２３】
有利なことに、さらに本発明の方法によって、メニューの視覚的要素が移動局のキャッシュにバッファされる。これにより、移動局の記憶領域が節約でき、したがって移動局のサイズが低減され得る。
【００２４】
さらなる利点は、従属請求項の主題から生じる。
【発明を実施するための最良の形態】
【００２５】
好ましい実施例
図１を参照すると、符号１０は本発明の移動局を表わす。移動局１０は、従来の必要な技術的装置の他に、ハウジング１６に収容されるキーボード１２および表示部１４を含む。キーボードは数字キー１８および特殊記号キー２０からなる。しかし、キー１８および２０は、追加的な他の機能に割当てられ得る。さらに、移動局は、ハウジング内にマイクロフォン２２およびスピーカ２４を有する。表示部には、異なる視覚的要素２６が行列状に示される。制御ピン２８を動かすことによって所望の視覚的要素２６が選択され得る。本実施例においては、視覚的要素２６の中から絵柄要素「スポーツ」２８が選択されている。
【００２６】
本発明の移動局のユーザは、本例では「スポーツ」というテキストが書かれている、テキストフィールド３０によって所望の選択を認識する。各視覚的要素２６は１つの固有のメニュー項目と関連付けられる。たとえば、図示される表示部には、「検索、発信（cont
act）、音楽、メール、ゲーム、地図および交通」の視覚的要素２６が示される。メニュー項目は各レベルで固有の視覚的要素２６を有する。しかし、視覚的要素２６の個数はレベルによって異なり得る。
【００２７】
視覚的要素２６を選択することでメニュー項目を検索することにより、メニュー選択の次のレベルに到達する。ここでもまた、視覚的要素がメニュー項目として現れる。
【００２８】
図２においてさらに、本発明の移動局１０が図示される。したがって、対応する要素は、前掲の図１と同じ参照符号をもって表わされる。図１の実施例と比較して、図２の移動局１０はキー１２および制御ピン２８を有しない。その代わり、移動局１０は接触感知式の表示部３２を有する。このような接触感知式の表示部３２は「タッチスクリーン」とも呼ばれる。基本的に、タッチスクリーン３２は制御ピン２８と同様に動作する。しかし、視覚的要素２６の選択は、表示部３２上の対応する要素２６に触れることによって行われる。
【００２９】
タッチスクリーン３２を用いることにより、他の実施例で用いられるようなキーボードはなくても済む。キーボード１２は、タッチスクリーン３２における対応する記号によって模擬される。このようにして、所望であれば、表示部３２の全体が表示部として利用され得る。キーボードの模擬は、キーが必要とされる場合のみ必要となる。
【００３０】
図３は、移動局１０のさらなる実施例を示す。対応する要素は、前掲の実施例と同じく、同じ参照符号で表わされる。しかし、この実施例においては、今回はいわゆるタッチパッド３４がナビゲーション要素として採用される。タッチパッド３４は接触感知式の面であり、触れることによって個別のメニュー項目が選択され得る。その接触がタッチパッドの表面のどの位置で起こるかに依存して、対応するメニュー項目が選択される。
【００３１】
図４は、移動体電気通信網３６を示す基本的な概略図である。移動体電気通信網は、送受信マスト３８および移動局１０ａ−１０ｄによって表される。移動局は、前掲の図を参照して説明されたタイプのものである。移動体電気通信網３６は中央コンピュータ４０を有する。各メニュー項目のためのすべての視覚的要素２６は中央コンピュータ４０に格納される。移動局１０がメニューを問い合わせると、このメニュー項目に対応する視覚的要素２８が中央コンピュータ４０から送信される。このようにすると、移動局は視覚的要素２６を長期間格納しておく必要がない。要素は、移動局１０の、図示されていないキャッシュに短期間バッファされるのみである。この方法によって、移動局１０のリソースが経済的に用いられるだけでなく、視覚的要素２６も最大限に標準化される。これにより、移動局のユーザのための視覚的要素２６についての非常に高い認知度が実現できる。ユーザは知らないメニューの中で迷わなくてすむ。
【００３２】
図５において、たとえば、選択メニュー４２の多様なレベルＥ０，Ｅ１，Ｅ２およびＥ３が図示される。長方形４４の各々は視覚的要素２６であり、その固有のメニュー項目を示す。各レベルＥ０，Ｅ１，Ｅ２およびＥ３の、斜線を施した長方形４６は、それぞれ選択されたメニュー項目である。この方法で、ユーザが次のレベルに行くために、あるレベルのすべてのメニュー項目を見なければならない状態をさらに回避することができる。そのために当然、従来の方法よりも著しく迅速に、所望のメニュー項目に到達し得る。
【図面の簡単な説明】
【００３３】
【図１】制御ピンを用いる本発明の移動局の第１の実施例の詳細を示す、基本的な概略図である。
【図２】タッチスクリーンを用いる本発明の移動局の第２の実施例の詳細を示す、基本的な概略図である。
【図３】タッチパッドを用いる本発明の移動局の第２の実施例の詳細を示す、基本的な概略図である。
【図４】本発明の移動局を用いる移動体電気通信網を示す、基本的な概略図である。
【図５】本発明の移動局のためのメニュー選択の多様なレベルを示す、基本的な概略図である。
【図１】
2006505156.tif 000003
【図２】
2006505156.tif 000004
【図３】
2006505156.tif 000005
【図４】
2006505156.tif 000006
【図５】
2006505156.tif 000007
【国際調査報告】
2006505156.tif 000008
2006505156.tif 000009
2006505156.tif 000010
2006505156.tif 000011
2006505156.tif 000012
2006505156.tif 000013